(57)【要約】  【課題】筆ペン等の筆記具、或いは化粧用具等、インクや化粧液等の塗布液を塗布するための塗布具に関し、外側から毛先側への塗布液の誘導を確実に行うことができるとともに、その毛先の先端部側への液の供給も良好な状態で行うことができ、ひいては塗布液を良好な状態で塗布することができる塗布具を提供することを課題とする。  【解決手段】テーパ状繊維が多数本束ねられて、塗布液を含浸可能で、該塗布液を塗布媒体に塗布可能に構成された毛先を具備する塗布具において、前記毛先を挿入することができる挿入孔が形成されているとともに、該毛先側へ塗布液を誘導することができる塗布液誘導部材がさらに具備され、前記塗布液誘導部材の挿入孔は、前記毛先のテーパ状に形成された部分に対応して、先端部側に向かって幅狭なテーパ状に形成されていることを特徴とする。【選択図】図１
2010284927.tif 000002
【特許請求の範囲】
【請求項１】
テーパ状繊維が多数本束ねられて、塗布液を含浸可能で、該塗布液を塗布媒体に塗布可能に構成された毛先（３）を具備する塗布具において、前記毛先（３）を挿入することができる挿入孔（１３）が形成されているとともに、該毛先（３）側へ塗布液を誘導することができる塗布液誘導部材（４）がさらに具備され、前記塗布液誘導部材（４）の挿入孔（１３）は、前記毛先（３）のテーパ状に形成された部分に対応して、先端部側に向かって幅狭なテーパ状に形成されていることを特徴とする塗布具。
【請求項２】
塗布液誘導部材（４）が、多孔質材料で構成されている請求項１記載の塗布具。
【請求項３】
塗布液誘導部材（４）が、焼結樹脂で構成されている請求項２記載の塗布具。
【請求項４】
塗布液誘導部材（４）を構成する多孔質材料の孔径が２０〜８０μｍである請求項２又は３記載の塗布具。
【請求項５】
塗布液誘導部材（４）が可撓性を有して構成されている請求項１乃至４のいずれかに記載の塗布具。
【発明の詳細な説明】
【技術分野】
【０００１】
本発明は、筆ペン等の筆記具、或いは化粧用具等、インクや化粧液等の塗布液を塗布するための塗布具に関する。
【背景技術】
【０００２】
周知のように、筆ペン等の筆記具、化粧用具等、インクや化粧液等の塗布液を塗布媒体に塗布する塗布具として、従来から種々のものが用いられている。筆記具においては、紙が塗布媒体とされ、化粧用具においては、顔の目の周辺部等が塗布媒体となる。
【０００３】
このような塗布具のうち、古来から使用されているものとして筆があり、筆はその筆先に墨を付着させるという作業を要する点で、一見原始的な筆記具であるが、筆記具に必要な特性が十分に考慮されている。たとえば書道において、「止め」という静的な状態と、「はね」や「曲がり」という動的な状態とのいずれにおいても、筆の本体の動きに毛先がよく追従していくこと、或いは付着された墨が毛先の根元部から先端部側へ良好に供給されること等は、筆記具に必要な特性が筆に具備されていることの好適な例である。
【０００４】
良い筆の条件として、穂先が鋭いこと、毛の一本一本が素直でよく揃っていること、毛先がふっくらしていること、弾性に富むこと等が挙げられ、また「毛腰が適度に柔らかく、墨の含みがよい。」等が良い筆の条件とされている。ここで「毛腰」とは、手の動きを筆先へ伝える操作性のことであり、「含み」とは、墨の先端側への伝達性のことである。
【０００５】
毛腰が適度に柔らかい筆では、毛先が鋭く、筆を運ぶ途中で毛先がばらけず、弾性に富む等の特性がある。また、「含み」の良い筆は、供給源として、持続的に墨を供給することができる伝達性、調節性が良好である等の特性がある。一般の筆は、墨を毛先の根元部分に貯留して「含み」の機能を奏しており、その毛先の根元部分は墨の補給部であると同時に、先端側への墨の急速な供給を行う機能も果たしている。
【０００６】
このような古来からの筆とは異なり、筆ペンの場合は、インクの貯留部のような液体の永続的な補給部を有するため、基本的には「含み」の機能を毛先で持たせる必要がない。しかし、筆ペンは、液補給部（インクの貯留部）が筆記部分である毛先から離れた位置に設けられているため、先端側へのインクの急速な補給を行う機能が不十分となるおそれがある。
【０００７】
また筆ペンでは、古来からの筆のような書き味を実現させることができないので、毛先を構成する繊維の１本ずつにテーパを付けることも行われている。ところが、このようなテーパを付けることで、先端側へインクを供給する機能がさらに低下することも判明している。
【０００８】
一般に、繊維間への液浸透速度は、下記（１）のルーカス・ウオッシュバーンの式が用いられることが多い。下記（１）式において、Ｘは液体の到達距離、ηは液体の粘度、Ｄは繊維間に生じる流路の平均的な径、ｔは経過時間、γは液体の表面張力、θは液体と繊維との接触角である。
【０００９】
【数１】
2010284927.tif 000003
【００１０】
繊維にテーパがついていない場合には、（１）式でＤが一定である。繊維にテーパがついている場合には、Ｄが到達距離に応じて変化する。先端部ではＤが小さくなり、液体の伝達速度が遅くなる。
【００１１】
つまり、繊維にテーパがついている場合は、毛先の先端側程、流路面積が減少し、液体の伝達量が急速に減少するが、このことを図１１に基づいて説明する。図１１は、縦軸に液体の浸透量Ｑ、横軸に液体の移動距離Ｘを表したグラフであるが、繊維にテーパがついていない場合の曲線ａに比べて、繊維にテーパがついた場合の曲線ｂは急激に液体の浸透量Ｑが低下していることが示されている。
【００１２】
この図１１のグラフは、繊維間の毛細管力の駆動力とその流路に生じる流体抵抗による減速効果とのバランスを表現したものであり、繊維にテーパがついている場合はもちろんであるが、繊維にテーパがついていない場合であっても、筆ペンのように液の貯留部から毛先に向かってインクを供給する場合、液体流路長が長いので、古来からの筆のように、近くに液の供給源があるものと比べてインク供給の面で不利なことが示されている。
【００１３】
また、上記（１）式によると、液体粘度ηが大きくなると、液体の移動距離が小さくなることが示され、顔料成分によってインクの粘度が大きい場合に、供給途中での沈着等を来すことがある。これは、移動速度が十分でない場合に起こり易い。
【００１４】
そこで、このような問題点に鑑み、筆記部に近い部位へ液体（インク）を供給するために、インク貯留部から、中継芯と称されるインク誘導部分を介して毛先にインクを供給しうるように構成された筆ペンも開発されている。このような中継芯を備えた構造の筆ペンに関する特許出願として、たとえば下記特許文献１乃至３に示すような出願がなされている。このような中継芯を備えた構造の筆ペンは、供給機構が筆記部に近いため  急速なインクの供給にも追従できるものである。
【００１５】
しかし、このような中継芯は、軸筒内にインク貯留部と毛先とに跨がるように設けられるので、この中継芯を挿通させるための孔を毛先に穿設しなければならないこととなる。そのような孔を毛先に穿設する場合、毛先に割れを生じるおそれがあるという新たな問題点が発生した。また、毛先の中心部に誘導部材である中継芯を配置しているので、たとえば２ｍｍΦ以下のような細い筆は作りにくいという問題がある。
【００１６】
そこで、このような中継芯を使用しない筆記具等の塗布具として、下記特許文献４のような出願もなされている。特許文献４に係る出願は、実用新案登録請求の範囲に記載されているように、穂先部を除く筆穂部分に吸水性筒体を嵌着せしめるとともに筆穂の基部端面に形成した接着面を貫通する複数の貫通孔を穿設し、上記吸水性筒体と筆穂の基部端面とを本体に内蔵せしめたインキ含浸材に接触せしめてなることを特徴とする毛筆具に関するものである。この特許文献５に係る出願では、インキ含浸材から筆穂側へインキを供給しうるようにするとともに、吸水性筒体からも筆穂側へインキを供給しうるように構成したものである。
【００１７】
しかしながら、この種の毛筆具等の筆穂は、当該特許文献４の明細書の第２頁第１６行目〜第２０行目にも記載されているように、先端を超極細に形成したいわゆるテーパ繊維を多数本束ねて、先端方向に従い、次第に先細り形状に収束せしめた形態からなるものであり、このような形態の筆穂を、上記のような吸水性筒体内に嵌着しても、吸水性筒体の内周面と、筆穂の外周面との間にはどうしても隙間が生じることとなり、筆穂を吸水性筒体内に密着した状態で嵌着することができない。この結果、吸水性筒体から筆穂側へのインキの供給が必ずしも良好になされていないものであった。また、筆穂を吸水性筒体内に確実に固定できないおそれがあるという問題点があった。
【先行技術文献】
【特許文献】
【００１８】
【特許文献１】特開平６−２３９０９０号公報
【特許文献２】実開平７−３５０８４号公報
【特許文献３】実開平５−５８３５７号公報
【特許文献４】実開昭５５−４２５０４号公報
【発明の概要】
【発明が解決しようとする課題】
【００１９】
本発明は、上記のような問題点を解決するためになされたもので、外側から毛先側への塗布液の誘導を確実に行うことができるとともに、その毛先の先端部側への液の供給も良好な状態で行うことができ、ひいては塗布液を良好な状態で塗布することができる塗布具を提供することを課題とする。また本発明の他の課題は、これらの機能を維持しつつ、毛先を細くすることを可能とすることである。
細い線・高粘度液体を含めて書き易い筆記具を提供する。
【課題を解決するための手段】
【００２０】
本発明は、このような課題を解決するためになされたもので、テーパ状繊維が多数本束ねられて、塗布液を含浸可能で、該塗布液を塗布媒体に塗布可能に構成された毛先を具備する塗布具において、前記毛先を挿入することができる挿入孔が形成されているとともに、該毛先側へ塗布液を誘導することができる塗布液誘導部材がさらに具備され、前記塗布液誘導部材の挿入孔は、前記毛先のテーパ状に形成された部分に対応して、先端部側に向かって幅狭なテーパ状に形成されていることを特徴とする塗布具を提供するものである。
【００２１】
塗布液誘導部材は、好ましくは多孔質材料で構成される。とりわけ焼結樹脂で構成されることが望ましい。さらに、塗布液誘導部材を多孔質材料で構成する場合、その孔径は、好ましくは２０〜８０μｍとされる。
【発明の効果】
【００２２】
本発明は、上述のように、テーパ状繊維が多数本束ねられて、塗布液を含浸可能で、該塗布液を塗布媒体に塗布可能に構成された毛先を具備する塗布具において、前記毛先を挿入することができる挿入孔が形成されているとともに、該毛先側へ塗布液を誘導することができる塗布液誘導部材がさらに具備され、前記塗布液誘導部材の挿入孔は、前記毛先のテーパ状に形成された部分に対応して、該挿入孔の後端部側から先端部側に向かって幅狭なテーパ状に形成されているため、テーパ状繊維が多数本束ねられて構成された毛先が塗布液誘導部材の挿入孔内に挿入された際、その毛先は塗布液誘導部材内に密着状態で挿入されることとなり、従って、塗布液誘導部材側から毛先側への塗布液の誘導が非常に良好な状態で行われることとなる。
【００２３】
また、塗布液誘導部材の挿入孔が、該挿入孔の後端部側から先端部側に向かって幅狭なテーパ状に形成されているので、その挿入孔の後端部側から先端部側に向かう方向においても、塗布液の誘導が良好な状態で行われ、その結果、毛先の先端部側への塗布液の供給が良好な状態で行われることとなる。
【００２４】
さらに、塗布液誘導部材の挿入孔が後端部側から先端部側に向かって幅狭なテーパ状に形成され、テーパ状繊維が多数本束ねられて構成された毛先が挿入孔内に挿入された際に、毛先が塗布液誘導部材内に密着状態で挿入されるので、毛先と塗布液誘導部材との間に隙間が生じるおそれもなく、その結果、毛先が塗布液誘導部材に確実に固定されることとなる。
【００２５】
また、毛先が塗布液誘導部材内に密着状態で挿入されるので、先の尖った安定した毛先が得られることとなる。さらに、毛先が塗布液誘導部材内に密着状態で挿入されることにより、毛先と塗布液誘導部材とはあたかも一体化されたような状態となり、その結果、塗布媒体に接触させる際等の塗布具の操作性が向上するという効果がある。
【００２６】
さらに、塗布液誘導部材が多孔質材料で構成されている場合には、塗布液は多孔質材料で構成された塗布液誘導部材に吸収され、その塗布液誘導部材によって周辺部側から毛先に塗布液が供給される作用が、よりスムーズに生じることとなる。
【００２７】
さらに、塗布液誘導部材が可撓性を有して構成されている場合には、たとえば紙等の塗布媒体に毛先が接触して撓むとき、塗布液誘導部材も毛先と一体となって撓み易くなり、塗布具の操作性が一層向上するという効果がある。
【００２８】
さらに、塗布液誘導部材が周辺部側から毛先に塗布液を供給することができるように構成されているので、その構造上からも毛先を従来に比べて細く形成することができ、たとえば面相筆のように毛先の長い形式の書き味の筆記具であって、実際の面相筆に比べて毛先が短く細い筆ペンのような筆記具を提供することが可能となる。
【図面の簡単な説明】
【００２９】
【図１】一実施形態としての塗布具の断面図。
【図２】同実施形態の使用時の断面図。
【図３】他実施形態としての塗布具の断面図。
【図４】塗布液誘導部材と毛先との固定手段を示す他実施形態の断面図。
【図５】塗布液誘導部材と毛先との固定手段を示す他実施形態の断面図。
【図６】他実施形態の塗布具の断面図。
【図７】他実施形態の塗布具の断面図。
【図８】他実施形態の塗布具の断面図。
【図９】他実施形態の塗布具の断面図。
【図１０】他実施形態の塗布具の断面図。
【図１１】液体の浸透量と、液体の移動距離との相関関係を示すグラフ。
【発明を実施するための形態】
【００３０】
以下、本発明の実施形態について、図面に従って説明する。
本発明の塗布具は、上述のように、テーパ状繊維が多数本束ねられて、塗布液を含浸可能で、該塗布液を塗布媒体に塗布可能に構成された毛先を具備する塗布具において、前記毛先を挿入することができる挿入孔が形成されているとともに、該毛先側へ塗布液を誘導することができる塗布液誘導部材がさらに具備され、前記塗布液誘導部材の挿入孔は、前記毛先のテーパ状に形成された部分に対応して、該挿入孔の後端部側から先端部側に向かって幅狭なテーパ状に形成されているものである。
【００３１】
毛先の材質は特に限定されるものではなく、たとえばポリエチレンテレフタレートやポリブチレンテレフタレート等のポリエステル繊維、ポリアミド繊維等の合成繊維が用いられる。
【００３２】
さらに、塗布液誘導部材は、好ましくは可撓性を有して構成される。また、塗布液誘導部材を構成する多孔質材料の孔径は、２０〜８０μｍとすることが望ましい。通常の顔料は一次粒径が２０〜１００ｎｍ、分散粒径が０．０６〜６μｍ程度であり、またラメの一種パールでは  数μｍ近くのものもあり、これら種々のインクを色の変化を起こさずに塗布液誘導部材で供給するために、その塗布液誘導部材を構成する多孔性樹脂の平均孔径は２０μｍ〜８０μｍ程度があることが望ましいのである。
【００３３】
また、塗布液誘導部材の材質も特に限定されるものではないが、多孔質材料で構成されていることが望ましい。多孔質材料として、たとえば焼結樹脂、多孔性射出成形樹脂、連続気泡を有する発泡性合成樹脂等を用いることができる。さらに、セラミックの発泡体、発泡金属、焼結金属多孔質体等を使用することもできる。
【００３４】
これらのうちでは、特に焼結樹脂を用いることが好ましい。焼結樹脂は、樹脂粉末（樹脂微粒子）を焼結させて成形することができ、上記のように、塗布液誘導部材の挿入孔を、先端側に向かって幅狭なテーパ状となるような形状に、容易に成形することができる。また、塗布液誘導部材が可撓性を有するように形成する上でも好都合である。さらに、塗布液を塗布液誘導部材側から毛先側へ誘導する作用、及び塗布液を塗布液誘導部材の後端部側から先端部側へ供給する作用にも優れている。
【００３５】
焼結樹脂としては、ポリエチレン、ポリプロピレン、ポリテトラフルオロエチレン、ポリアミド、ポリアセタール等の熱可塑性樹脂や、フェノール樹脂等の熱硬化性樹脂を用いることができる。これらの中でも、ポリエチレンを好適に使用することができる。ポリエチレンとしては、超高分子量ポリエチレン、高密度ポリエチレン、低密度ポリエチレン等を用いることができる。
【００３６】
また焼結樹脂は、上述のように、樹脂粉末（樹脂微粒子）を焼結させて製造されるものであるが、その際の樹脂微粒子の粒子径としては、１〜１００μｍのものを使用するのが望ましく、５〜３０μｍのものを使用するのがより望ましい。また、焼結樹脂の場合の気孔率は、２０〜５０％程度のものを使用するのが望ましく、３０〜５０％程度のものを使用するのがより望ましい。さらに、加熱時の温度は各樹脂の融点に応じて設定され、加熱時間は、たとえば１０分〜３時間等の任意の時間とすることができる。
【００３７】
さらに、塗布液誘導部材への毛先の取り付けは、たとえば塗布液誘導部材に挿入孔を形成し、その挿入孔に毛先を挿入することによって行う。塗布液誘導部材の挿入孔は、たとえば、毛先を突出させる先端側の開口部と、毛先が塗布液と接触しうるように開口して形成された後端側の開口部とに貫通して形成された挿入孔のような形態とされる。
【００３８】
或いは、このような貫通した挿入孔の他に、後端側の開口部を有しない凹状の挿入孔を形成することも可能である。これらの場合において、塗布液誘導部材の挿入孔は、その後端部側から先端部側に向かって幅狭なテーパ状に形成され、且つ毛先がテーパ状繊維を多数本束ねて構成されているので、毛先は、塗布液誘導部材の挿入孔の内周面に密着した状態で挿入されることとなる。このように密着状態で挿されることによって、塗布液誘導部材に含浸、保持された塗布液は、毛先の周辺部側から、好適に毛先に供給されることとなるのである。
【００３９】
また、毛先の後端部側には、たとえば、塗布液誘導部材の後端部側に係止可能となるように、該塗布液誘導部材の後端部側の開口部より幅広な係止部を形成することも可能である。この係止部としては、たとえば鍔状に突出させて形成したもの、或いは毛先の後端部側を熱融解することによって形成したもの、さらには、毛先の後端部側に接着剤を含浸させることによって形成したもの等が用いられる。
【００４０】
さらに、挿入孔の断面形状は、たとえば楕円形、矩形、多角形、星型等とすることができる。また、挿入孔の先端側（入口部）と後端側（出口部）とで異なる断面形状とすることも可能である。たとえば、入り口が真円、出口が楕円となるような場合である。
【００４１】
さらに、塗布具の本体部分は、たとえば塗布液を貯留する塗布液貯留部を軸筒内に設けたような構成とすることが可能である。
【００４２】
さらに、上記のような塗布液誘導部材の構造を利用して、細い筆の根元を塗布液誘導部材で包囲し、「含み」機能を持たせれば、毛先を長くしなくてもよく、使いやすい極細筆を提供することができる。実際の試作では１ｍｍΦ×４ｍｍ程度の筆を製作することが可能となった。これは従来の極細筆の半分の長さである。細筆を使い慣れない者でも十分に使いこなせるという利点がある。
【００４３】
以下に、本発明の塗布具のより具体的な構成を説明する。
（実施形態１）
本実施形態の塗布具は、図１に示すように、塗布液貯留部２を備えた軸筒１と、該軸筒１の先端側に設けられた毛先３と、前記塗布液貯留部２側から前記毛先３側に塗布液を誘導する塗布液誘導部材４とを具備して構成されている。
【００４４】
軸筒１は、その全体が略円柱状に形成され、該軸筒１の先端部１ａ側の外周面５は、図１に示すように先細なテーパ状に形成され、その先端部１ａにおける開口部６の内周面が、塗布液誘導部材４の外周面と接触しうるように形成されている。また、塗布液誘導部材４は全体が略円柱状に形成されている。
【００４５】
塗布液誘導部材４には、前記毛先３を挿入可能な挿入孔１３が形成されている。この挿入孔１３は、図１に示すように、塗布液誘導部材４の先端側の開口部１３ａから後端側の開口部１３ｂに向かって貫通するような貫通孔として形成されている。このような貫通孔とされることで、毛先３の先端部３ａが前記塗布液誘導部材４の先端側の開口部１３ａから突出し、毛先３の後端部３ｂが塗布液誘導部材４の後端側の開口部１３ｂよりもわずかに突出するように、毛先３が挿入孔１３に挿入されている。また、この塗布液誘導部材４の挿入孔１３は、その内周面が塗布液誘導部材４の後端側の開口部１３ｂから先端側の開口部１３ａに向かって幅狭なテーパ状に形成されている。さらに、毛先３を構成する繊維は、挿入時において該塗布液誘導部材４と毛先３とが密着した状態となるように、テーパ状に形成されている。塗布液誘導部材４の挿入孔１３への毛先３の挿入後には、毛先３の復元力によって、毛先３は挿入孔１３の内周面にわずかに圧接された状態となる。
【００４６】
塗布液誘導部材４の後端部４ｂ側は、軸筒１内の塗布液貯留部２に臨出され、塗布液貯留部２内の塗布液１０に塗布液誘導部材４が接触した状態とされている。また塗布液誘導部材４の先端部４ａ側は、挿入孔１３内に毛先３を挿入させた状態で軸筒１の外部に突出されるように、前記塗布液誘導部材４が軸筒１の先端部１ａ側に挿入されている。
【００４７】
さらに、塗布液誘導部材４は、本実施形態では焼結樹脂、より具体的には気孔率が約３０％以上の焼結ポリエチレンで構成されている。この場合、焼結樹脂としては、孔径が２０〜８０μｍのものを用いることができるが、２０〜５０μｍのものを用いることがより好ましく、２０〜３０μｍのものを用いることがより好ましい。
【００４８】
軸筒１の後端部１ｂ側には小孔８が穿設され、その小孔８によって塗布液貯留部２の後部側の一部に空気が流入されて、該塗布液貯留部２の塗布液１０の背圧が調整されることとなる。
【００４９】
そして、このような構成からなる塗布具を使用する場合には、図２に示すように、毛先３の先端部３ａを塗布媒体２１（たとえば筆記具の場合は紙等）に向けて接触させ、塗布液を塗布媒体２１に塗布する。この場合において、塗布液貯留部２に貯留されている塗布液１０は、塗布液誘導部材４と接触しており、その塗布液誘導部材４が毛先３に接触しているので、塗布液は、塗布液誘導部材４から毛先３に誘導されて毛先３から塗布媒体２１に塗布されることとなる。
【００５０】
この点をより詳細に説明すると、塗布液誘導部材４が多孔質材料である焼結樹脂で構成されており、また、塗布液誘導部材４の挿入孔１３が、先端側の開口部１３ａから後端側の開口部１３ｂに至って貫通して形成されているため、塗布液誘導部材４の後端部４ｂが塗布液貯留部２内の塗布液と接触している状態において、塗布液は塗布液誘導部材４に好適に吸収され、前記塗布液誘導部材４の後端部４ｂ側から、該塗布液誘導部材４の先端部４ａ側に向かって、塗布液誘導部材４を構成する焼結樹脂の気孔中を移動することになる。
【００５１】
このように塗布液が塗布液誘導部材４を構成する焼結樹脂の気孔中を移動することにより、塗布液は、毛細管現象によって、塗布液誘導部材４の後端部４ｂ側から先端部４ａ側に向かって誘導されることになる。
【００５２】
さらに、塗布液誘導部材４の挿入孔１３の内周面が先端側に向かって幅狭なテーパ状に形成されているとともに、毛先を構成する繊維がテーパ状に形成されて、塗布液誘導部材４と毛先３とが密着した状態となっているため、塗布液誘導部材４によって誘導された塗布液は、その塗布液誘導部材４から毛先３の外周面側に好適に誘導されることとなり、誘導された塗布液は、塗布液誘導部材４側から毛先３側に確実に供給されることとなり、塗布媒体に良好な状態で塗布されることとなる。
【００５３】
このように、本実施形態では、塗布液誘導部材４を焼結樹脂で構成するとともに、塗布液誘導部材４の挿入孔１３の内周面を後端側の開口部１３ｂから先端側の開口部１３ａに向かって幅狭なテーパ状に形成し、毛先を構成するテーパ状に形成された繊維と密着しうる状態としたため、毛先３の周辺部側に位置する塗布液誘導部材４から、塗布液を毛先３に好適に供給することができることとなる。
【００５４】
尚、本実施形態においては、毛先３の後端部３ｂが、上記のように、塗布液誘導部材４の後端側の開口部１３ｂよりわずかに突出するように、毛先３が挿入孔１３に挿入されているので、その毛先３の後端部３ｂも塗布液貯留部２内の塗布液と接触した状態となっており、従って毛先３の後端部３ｂ側から先端部３ａ側に向かっても、塗布液が誘導されることとなり、塗布液がより確実に毛先３に含浸することとなる。
【００５５】
また、上記図２のように、塗布媒体２１に毛先３の先端部３ａを接触させる際、その毛先３の先端部３ａを塗布媒体２１に押し付けることによって、同図のように毛先３の先端部３ａが撓むことになる。
【００５６】
この場合において、上述のように、塗布液誘導部材４の挿入孔１３の内周面が先端側に向かって幅狭なテーパ状に形成されているとともに、毛先を構成する繊維がテーパ状に形成されて、塗布液誘導部材４と毛先３とが密着した状態となっているため、塗布液誘導部材４と毛先３とは一体化した状態となり、しかも塗布液誘導部材４は、可撓性を有する焼結樹脂で構成されているので、上記図２のように毛先３の先端部３ａが撓むことに伴って、塗布液誘導部材４も好適に撓むこととなる。
【００５７】
従って、先端側において、毛先３と塗布液誘導部材４とが一体となって塗布具を提供することができるのである。
【００５８】
（実施形態２）
本実施形態においては、図３に示すように、軸筒１の先端部１ａの外周面がほぼ真っ直ぐに形成されており、この点で軸筒１の先端部１ａ側の外周面５がテーパ面状に形成されていた上記実施形態１と相違している。
【００５９】
本実施形態においても、上記実施形態１と同様に、軸筒１の先端部１ａ側の内周面６が塗布液誘導部材４の外周面と接触しうるように形成されている。ただし、本実施形態においては、塗布液誘導部材４の後端部４ｂのみが塗布液に接触するように構成されており、この点で後端部４ｂのみならず、塗布液誘導部材４の側面も塗布液に接触するように、塗布液誘導部材４が塗布液貯留部２内に臨出していた上記実施形態１と相違している。
【００６０】
また、本実施形態では、毛先３の後端部３ｂが塗布液誘導部材４の後端部１３ｂとほぼ同面上に位置するように、毛先３が挿入孔１３に挿入されており、この点で、毛先３の後端部３ｂが塗布液誘導部材４の後端部１３ｂよりわずかに突出するように構成されていた上記実施形態１と相違している。その他の構成は、上記実施形態１と共通するため、その詳細な説明は省略する。
【００６１】
本実施形態においても、塗布液誘導部材４を焼結樹脂で構成するとともに、塗布液誘導部材４の挿入孔１３の内周面を先端側に向かって幅狭なテーパ状に形成し、毛先を構成するテーパ状に形成された繊維と密着しうる状態としたため、毛先３の周辺部側に位置する塗布液誘導部材４から、塗布液を毛先３に好適に供給することができることとなる。
【００６２】
また、本実施形態においても、塗布液誘導部材４と毛先３とが密着した状態となって一体化した状態となり、また塗布液誘導部材４が可撓性を有する焼結樹脂で構成されているため、毛先３の先端部３ａが撓むことに伴って、塗布液誘導部材４も好適に撓むこととなる。
【００６３】
（実施形態３）
本実施形態は、毛先３を塗布液誘導部材４に固定する手段の１つの実施形態である。本実施形態においては、図４に示すように、毛先３の後端部３ｂ側に、ストッパー１６が形成されている。本実施形態のストッパー１６は、同図のように、鍔状に形成されたものである。
【００６４】
このような鍔状のストッパー１６が、毛先３の後端部３ｂ側に形成されていることによって、そのストッパー１６の部分が塗布液誘導部材４の後端部４ｂに係止されることとなり、それによって、毛先３が塗布液誘導部材４から抜け出るのを好適に防止することができる。
【００６５】
（実施形態４）
本実施形態は、毛先３を塗布液誘導部材４に固定する手段の他の実施形態である。本実施形態においては、ストッパー１６は、たとえば毛先３の後端部３ｂ側を熱融解することによって、或いは毛先３の後端部３ｂ側に接着剤を含浸させることによって形成されている。ストッパー１６の形状は、上記実施形態２のような鍔状ではなく、図５のように略球状に形成されているが、その形状は問うものではない。
【００６６】
本実施形態においても、毛先３の後端部３ｂ側のストッパー１７によって、毛先３が塗布液誘導部材４から抜け出るのを好適に防止することができる。
【００６７】
（実施形態５）
本実施形態においては、図６に示すように、挿入孔１３が、先端部側にのみ開口部１３ａを有する凹状に形成されており、その点で挿入孔１３が貫通して形成されていた実施形態１、２と相違している。そして、毛先３は、このような凹状の挿入孔１３内に嵌合されている。
【００６８】
本実施形態においては、塗布液貯留部２に貯留されている塗布液１０が、塗布液誘導部材４の後端部４ｂのみならず、塗布液誘導部材４の側面にも接触している。塗布液誘導部材４が焼結樹脂で構成されている点、その他の構成は、上記実施形態１等と共通するため、その詳細な説明は省略する。
【００６９】
本実施形態では、凹状の挿入孔１３に毛先３が嵌入されているので、毛先３が直接塗布液に接触しているわけではないが、毛先３を挿入孔１３に嵌入させている塗布液誘導部材４が焼結樹脂で構成され、且つ塗布液貯留部２に貯留されている塗布液１０が、塗布液誘導部材４の後端部４ｂのみならず、塗布液誘導部材４の側面にも接触しているので、塗布液は塗布液誘導部材４に好適に含浸されることとなる。そして、塗布液誘導部材４の挿入孔１３に毛先３が嵌入されて、その塗布液誘導部材４が毛先３に接触しているので、塗布液は、塗布液誘導部材４から毛先３に誘導されることとなる。
【００７０】
この場合において、塗布液誘導部材４の挿入孔１３の内周面が先端側に向かって幅狭なテーパ状に形成されているとともに、毛先を構成する繊維がテーパ状に形成されて、塗布液誘導部材４と毛先３とが密着した状態となっているため、塗布液誘導部材４によって誘導された塗布液は、その塗布液誘導部材４から毛先３の外周面側に好適に誘導されることとなり、誘導された塗布液は、塗布液誘導部材４側から毛先３側に確実に供給されることとなり、塗布媒体に良好な状態で塗布されることとなる。
【００７１】
このように、本実施形態においても、塗布液誘導部材４を焼結樹脂で構成するとともに、塗布液誘導部材４の挿入孔１３の内周面を先端側に向かって幅狭なテーパ状に形成し、毛先を構成するテーパ状に形成された繊維と密着しうる状態としたため、毛先３の周辺部側に位置する塗布液誘導部材４から、塗布液を毛先３に好適に供給することができることとなる。
【００７２】
（実施形態６）
本実施形態においては、図７に示すように、塗布液貯留部２内に中綿９が装填されており、この点で塗布液が直接塗布液貯留部２内に貯留されていた上記実施形態１、２、５と相違している。
【００７３】
すなわち、本実施形態では、繊維の集合体で構成した中綿９に塗布液を含浸させており、その中綿９に、塗布液誘導部材４の後端部４ｂを差し込むことによって、塗布液誘導部材４を塗布液の接触させている。塗布液誘導部材４の後端部４ｂは、中綿９に差し込み易いように、胴体部分よりも細く形成されている。
【００７４】
尚、中綿９の素材としては、たとえば天然繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリエーテル系樹脂、ポリフェニレン系樹脂等からなる繊維を使用して束ねたもの、或いはスポンジ等が用いられる。
【００７５】
塗布具が、塗布液貯留部２を備えた軸筒１、毛先３、塗布液誘導部材４を具備して構成されている点、軸筒１の先端部１ａ側の外周面５が緩やかなテーパ面状に形成されている点、軸筒１の先端部１ａ側の内周面６が塗布液誘導部材４の外周面と接触しうるように形成されている点、塗布液誘導部材４が焼結樹脂で構成されている点、塗布液誘導部材４に凹状の挿入孔１３が形成され、その挿入孔１３内に毛先３が嵌合されている点、塗布液誘導部材４の全体が略円柱状に形成されている点、軸筒１の後端部１ｂ側に小孔８が穿設されている点等は実施形態５と同じである。
【００７６】
本実施形態では、上記実施形態１、２、５のように、塗布液誘導部材４が塗布液に直接接触しているのではないが、塗布液を含浸させた中綿９に塗布液誘導部材４の後端部４ｂを差し込むことによって、塗布液誘導部材４を中綿９に接触させているので、中綿９に含浸された塗布液が塗布液誘導部材４に誘導され、さらに塗布液誘導部材４から毛先３に誘導されることとなる。
【００７７】
この場合において、本実施形態においても、上記実施形態５と同様に、毛先３が塗布液誘導部材４の凹状の挿入孔１３内に嵌合され、塗布液誘導部材４の挿入孔１３の内周面が先端側に向かって幅狭なテーパ状に形成されているとともに、毛先を構成する繊維がテーパ状に形成されて、塗布液誘導部材４と毛先３とが密着した状態となっているため、塗布液誘導部材４に含浸、保持された塗布液は、毛先３の周辺部側から毛先３に供給されることとなり、塗布液誘導部材４側から毛先３側に確実に供給されることとなるのである。
【００７８】
（実施形態７）
本実施形態においては、図８に示すように、塗布液誘導部材４の外周面が、緩やかなテーパ面状に形成されており、この塗布液誘導部材４が軸筒１の先端部１ａ側の開口部１１に装着されている。すなわち、本実施形態では、軸筒１の先端部１ａが、上記実施形態１のように所定の厚さを有し、その内周面６に塗布液誘導部材４が挿入されて該軸筒１の先端部１ａで塗布液誘導部材４を保持しているという状態ではなく、全体が同程度の薄い円筒状に形成された軸筒１の開口部１１に塗布液誘導部材４が装着されて、塗布液誘導部材４自体が軸筒１の先端部を構成しているような形態とされている。
【００７９】
さらに、本実施形態では、上記実施形態５、６のような凹状の挿入孔１３ではなく、
実施形態１と同様に貫通された挿入孔１３が塗布液誘導部材４に形成されており、その挿入孔１３に毛先３が挿入されている。このように毛先３が挿入孔１３に挿入された状態において、毛先３の後端部３ｂは塗布液貯留部２内に臨出して塗布液１０に接触した状態となっている。また、塗布液誘導部材４の後端部側も塗布液１０に接触している。
【００８０】
さらに、本実施形態では、合成樹脂製フィルムからなる被膜１２が、塗布液誘導部材４及び軸筒１の外周面に被着されている。これは、本実施形態では、緩やかなテーパ面状に形成された塗布液誘導部材４の先端部側が把持される可能性があり、その塗布液誘導部材４に塗布液が含浸されて手に付着するおそれがあるので、これを防止するためである。この被膜１２は、本実施形態では塗布液誘導部材４から軸筒１に跨がって被着されているが、塗布液誘導部材４のみに被着することも可能であり、塗布液誘導部材４に被着されていれば、塗布液が手に付着するのを防止するという目的は一応達成される。
【００８１】
塗布具が、塗布液貯留部２を備えた軸筒１、毛先３、塗布液誘導部材４を具備して構成されている点、塗布液誘導部材４が焼結樹脂で構成されている点、軸筒１の後端部１ｂ側に小孔８が穿設されている点等は実施形態１、５、６等と同じである。
【００８２】
本実施形態では、塗布液誘導部材４が塗布液に接触しているだけでなく、毛先３自体も塗布液に接触した状態とされている。従って、本実施形態では、塗布液誘導部材４側から塗布液が毛先３に誘導されるだけでなく、塗布液が直接毛先３に誘導されることにもなる。
【００８３】
本実施形態においては、塗布液誘導部材４に挿入孔１３が形成され、その挿入孔１３に毛先３が挿入されているので、毛先の外周面は塗布液誘導部材４の挿入孔１３の内周面と面接触状態となり、従って本実施形態においても、塗布液は毛先３の外周面側から毛先３に供給されることとなり、塗布液誘導部材４側から毛先３側に確実に供給されることとなる。
【００８４】
（実施形態８）
本実施形態においては、軸筒１に塗布液貯留部２が設けられておらず、別途準備された塗布液に毛先３が直接浸漬され、そのようにして毛先３に含浸された塗布液が塗布媒体に塗布されることとなる。また、上記各実施形態と同様に、塗布液誘導部材４には挿入孔１３が形成され、該挿入孔１３の内周面が先端側に向かって幅狭なテーパ状に形成されている。そして、その挿入孔１３に、繊維がテーパ状に形成された毛先３が挿入されており、毛先３が塗布液誘導部材４の挿入孔１３の内周面に密着する状態で挿入され、毛先３に含浸された塗布液が塗布液誘導部材４にも含浸される構造とされている。
【００８５】
このような構成からなる点で、塗布液貯留部２内の塗布液１０又は中綿９に塗布液誘導部材４が接触して、塗布液が自給式となるように構成されていた上記実施形態１、４乃至７の塗布具と相違している。また塗布液貯留部２が存在しないので、本実施形態では軸筒１が中実状とされ、この点で軸筒１が中空状に形成されていた上記実施形態１、４乃至７と相違する。
【００８６】
本実施形態では、図９に示すように、中実状の軸筒１の先端部１ａに凹部１４が形成され、その凹部１４内に塗布液誘導部材４が嵌合されて取り付けられている。また、この凹部１４に連通して該凹部１４よりも小径の凹部１５が形成されている。そして、この小径の凹部１５内に毛先３が嵌合されて取り付けられている。本実施形態では、塗布液誘導部材４は、上記各実施形態と同様に、焼結樹脂で構成されている。
【００８７】
本実施形態の塗布具は、上述のように塗布液自給式の塗布具ではないので、毛先３を、別途準備された塗布液に直接浸漬し、塗布媒体に塗布することによって使用される。この場合において、塗布液誘導部材４には上記のように挿入孔１３が形成され、その挿入孔１３に毛先３が挿入されて、毛先３の塗布液誘導部材４の挿入孔１３の内周面と密着状態とされているため、毛先３に含浸された塗布液は塗布液誘導部材４にも含浸されることとなり、一定時間保持されることとなる。
【００８８】
従って、塗布液誘導部材４に保持された塗布液は、逆に塗布液誘導部材４側から毛先３側へ誘導されることとなり、そのように誘導された塗布液も、毛先３により塗布媒体に塗布されることとなる。
【００８９】
本実施形態では、上記各実施形態と同様に、塗布液誘導部材４に挿入孔１３が形成され、その挿入孔１３の内周面が先端側に向かって幅狭なテーパ状に形成されている。そして、その挿入孔１３に、繊維がテーパ状に形成された毛先３が挿入されており、毛先３が塗布液誘導部材４の挿入孔１３の内周面に密着する状態で挿入されている。
【００９０】
このように、本実施形態では、毛先３に直接塗布液が接触して含浸される他、その毛先３側から塗布液誘導部材４側へ誘導された塗布液が、塗布液誘導部材４で一定時間保持され、逆に塗布液誘導部材４側から毛先３側へ誘導されることになるので、一般の直液式の塗布等に比べると、塗布媒体に良好な状態で塗布することができる。
【００９１】
（実施形態９）
本実施形態では、図１０に示すように、先軸と称されるアダプター１８が、軸筒１の先端側に圧入されて取り付けられている。アダプター１８の先端側はテーパ状に形成され、また塗布液誘導部材４の先端側もテーパ状に形成されている。このように形成されることによって、アダプター１８が、軸筒１の先端側に圧入される際に、塗布液誘導部材４が収縮し、それによって毛先３が固定されることになる。
【００９２】
また本実施形態においても、上記実施形態８と同様に、塗布液誘導部材４に形成された挿入孔１３に毛先３が挿入されているが、本実施形態では塗布液誘導部材４の下部に合成樹脂製の支持体１９が取り付けられ、その支持体１９の先端側に形成された凹部２０内に毛先３の後端部３ｂが取り付けられている。
【００９３】
従って、本実施形態では、毛先３は塗布液１０に直接接触してはおらず、実施形態１等と同様に、塗布液誘導部材４のみが塗布液１０と接触しているので、塗布液誘導部材４に含浸、保持された塗布液が、毛先３の外周面側から毛先３に供給されることとなるのである。
【００９４】
（その他の実施形態）
尚、塗布液誘導部材４の形状、構造、及び塗布液誘導部材４への毛先３の取付手段は上記実施形態に限定されるものではなく、要は、毛先３の周辺部側から毛先３へ塗布液が誘導されるように構成されていればよい。
【００９５】
また、塗布液誘導部材４の材質も、上記実施形態の、焼結ポリエチレンのような焼結樹脂に限らず、たとえば発泡性合成樹脂で構成することも可能であり、さらにはこれ以外の素材、たとえばセラミックの発泡体、発泡金属、焼結金属多孔質体等で構成することも可能である。要は、多孔質材料で構成されていればよいのである。
【００９６】
さらに毛先３の材質も、上記実施形態のポリエチレンテレフタレートやポリブチレンテレフタレート等のポリエステル繊維、ポリアミド繊維等に限定されるものではなく、これ以外の合成繊維で構成することも可能であり、さらには、天然繊維で構成することも可能であり、毛先３の材質は問うものではない。
【００９７】
さらに、中綿９の材質も、上記実施形態の天然繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ＰＰ系樹脂、ポリエーテル系樹脂、ポリフェニレン系樹脂等からなる繊維を使用して束ねたもの、或いはスポンジ等に限定されるものではなく、これ以外のものを使用することも可能である。
【００９８】
さらに、塗布具の用途も、筆記具に限らず、化粧用具に使用することも可能である。
【符号の説明】
【００９９】
３  毛先
４  塗布液誘導部材
１３  挿入孔
【図１】
2010284927.tif 000004
【図２】
2010284927.tif 000005
【図３】
2010284927.tif 000006
【図４】
2010284927.tif 000007
【図５】
2010284927.tif 000008
【図６】
2010284927.tif 000009
【図７】
2010284927.tif 000010
【図８】
2010284927.tif 000011
【図９】
2010284927.tif 000012
【図１０】
2010284927.tif 000013
【図１１】
2010284927.tif 000014